(57)【特許請求の範囲】
【請求項１】
バッテリーポストを挿入するためのバッテリーポスト挿入穴を一部分断された部分を有する状態で上下方向に貫通形成した環状部、及び前記一部分断された部分に連通する締め付け間隙を設けて前記環状部に対し並設される一対の締め付け部を有するバッテリーターミナル本体と、前記締め付け間隙を介し前記一対の締め付け部を互いに近づけて前記バッテリーポスト挿入穴を縮径方向に縮める締め付け手段とを備え、
該締め付け手段は、ボルト挿通孔を有する基板、及び該基板の左右方向の両端部にそれぞれ折り曲げにより連成され次第にその間隔が広がる一対のテーパ部を有するブラケットと、前記ボルト挿通孔に挿通され且つ前記環状部の上側から操作されると螺合状態が進行し前記一対のテーパ部を前記一対の締め付け部に対して摺接させるボルト及びナットと、前記ボルトを挿通させて該ボルトの軸を前記バッテリーポスト挿入穴の軸に沿って平行に配置することが可能なボルト保持孔を有するボルト保持用スペーサとを有するバッテリーターミナルであって、
前記ボルト保持用スペーサを前記左右方向に長く形成し、前記ボルト及びナットの螺合状態が進行して前記締め付け手段による過剰な締め付けとなる時には、互いに近づく前記一対の締め付け部の外側に前記左右方向に長い前記ボルト保持用スペーサが出て、該ボルト保持用スペーサと前記一対のテーパ部とが当接する
ことを特徴とするバッテリーターミナル。
【請求項２】
請求項１に記載のバッテリーターミナルにおいて、
前記ブラケットを、前記一対の締め付け部の上側及び／又は下側に配置した
ことを特徴とするバッテリーターミナル。
【発明の詳細な説明】
【０００１  】
【発明の属する技術分野】
本発明は、バッテリーポスト挿入穴を有するバッテリーターミナル本体と、バッテリーポスト挿入穴を縮径方向に縮める締め付け手段とを備えたバッテリーターミナルに関する。
【０００２  】
【従来の技術】
図８において、従来より用いられるバッテリーターミナル１は、図示しないバッテリーポストを挟持するための一対のクランプ部材２、２と、これら一対のクランプ部材２、２の位置関係を近づける方向に移動させるブラケット３と、ボルト４及びナット５とを備えて構成されてる。
【０００３  】
一対のクランプ部材２、２には、略棒状の一対の締め付け部６、６が一体に形成されている。その一対の締め付け部６、６は、締め付け間隙７を有するように配置されており、左右方向の各側面には、ブラケット３に対するテーパ部８、８が形成されている。
【０００４  】
図８及び図９において、ブラケット３は、一対の締め付け部６、６の下側に配置されるようになっている。そして、そのブラケット３の上面には、凹部９が形成されている。凹部９には、一対の締め付け部６、６のテーパ部８、８に対応するテーパ部１０、１０が形成されている。また、凹部９には、その底部を貫通してボルト４が上下方向に挿通されている。ボルト４は、締め付け間隙７を通り一対の締め付け部６、６の上側でナット５と螺合し合うようになっている。尚、一対のクランプ部材２、２とブラケット３は、鋳造により製造されている。
【０００５  】
上記構成において、ナット５が締め付けられると、ブラケット３が上方へ引き寄せられる。また、ブラケット３が上方へ引き寄せられると、ブラケット３のテーパ部１０、１０によって一対の締め付け部６、６の間隔が狭められる。そして、これにより一対のクランプ部材２、２が互いに近づく方向に移動し、バッテリーターミナル１がバッテリーポストに取り付け固定される。
【０００６  】
【発明が解決しようとする課題】
ところで、上記従来技術にあっては、上下方向の締め付け力を左右方向の締め付け力に変換する構造によって、バッテリーポストに対する取り付けを行うようになっている。しかしながら、ボルト４と一対の締め付け部６、６との間には、左右方向の締め付けに備えた比較的大きなクリアランスＸが形成されており、そのクリアランスＳによってボルト４の軸が傾いてしまうと（例えば矢線Ｙ１に対して矢線Ｙ２又はＹ３のように傾く）、ブラケット３が一対の締め付け部６、６に対してずれた状態で締め付けられるという問題点を有している。また、ブラケット３のずれに注意しながら組み付けを行うようになることから、組み付け性が悪くなるという問題点も有している。
【０００７  】
本発明は、上述した事情に鑑みてなされるもので、斜め締め付けの防止と組み付け性の向上とを図ることが可能なバッテリーターミナルを提供することを課題とする。
【０００８】
【課題を解決するための手段】
上記課題を解決するためなされた請求項１記載の本発明のバッテリーターミナルは、バッテリーポストを挿入するためのバッテリーポスト挿入穴を一部分断された部分を有する状態で上下方向に貫通形成した環状部、及び前記一部分断された部分に連通する締め付け間隙を設けて前記環状部に対し並設される一対の締め付け部を有するバッテリーターミナル本体と、前記締め付け間隙を介し前記一対の締め付け部を互いに近づけて前記バッテリーポスト挿入穴を縮径方向に縮める締め付け手段とを備え、該締め付け手段は、ボルト挿通孔を有する基板、及び該基板の左右方向の両端部にそれぞれ折り曲げにより連成され次第にその間隔が広がる一対のテーパ部を有するブラケットと、前記ボルト挿通孔に挿通され且つ前記環状部の上側から操作されると螺合状態が進行し前記一対のテーパ部を前記一対の締め付け部に対して摺接させるボルト及びナットと、前記ボルトを挿通させて該ボルトの軸を前記バッテリーポスト挿入穴の軸に沿って平行に配置することが可能なボルト保持孔を有するボルト保持用スペーサとを有するバッテリーターミナルであって、前記ボルト保持用スペーサを前記左右方向に長く形成し、前記ボルト及びナットの螺合状態が進行して前記締め付け手段による過剰な締め付けとなる時には、互いに近づく前記一対の締め付け部の外側に前記左右方向に長い前記ボルト保持用スペーサが出て、該ボルト保持用スペーサと前記一対のテーパ部とが当接することを特徴としている。
【０００９  】
請求項２記載の本発明のバッテリーターミナルは、請求項１に記載のバッテリーターミナルにおいて、前記ブラケットを、前記一対の締め付け部の上側及び／又は下側に配置したことを特徴としている。
【００１１】
請求項１に記載された本発明によれば、締め付け手段がブラケットとボルトとナットとボルト保持用スペーサとを備えて構成される。ボルト保持用スペーサはボルト保持孔を有し、そのボルト保持孔は、ボルトを挿通させてボルトの軸をバッテリーポスト挿入穴の軸に沿って平行に配置することが可能な形状に形成される。このようなボルト保持用スペーサを締め付け手段として備え、そして、締め付け手段の操作がなされると、上下方向の締め付け力が左右方向の締め付け力に確実に変換され、一対の締め付け部が互いに近づく方向に締め付けられる。これにより、バッテリーポスト挿入穴が縮径方向に縮み、そのバッテリーポスト挿入穴がバッテリーポストに対して圧接状態となると、バッテリーターミナルの接続が完了する。尚、ボルト保持用スペーサを備えることにより、ブラケットのずれに注意しながら組み付けをする必要がなくなる。また、請求項１に記載された本発明によれば、ボルト保持用スペーサが左右方向に長く形成される。これにより、締め付け手段の操作がなされて左右方向に長いボルト保持用スペーサと一対のテーパ部とが当接すると、ブラケットの移動が規制されて締め付け手段による過剰締め付けが防止される。
【００１２  】
請求項２に記載された本発明によれば、ブラケットが一対の締め付け部の上側及び／又は下側に配置されたとしても、ボルト保持用スペーサによって斜め締め付けが防止される。また、ブラケットのずれに注意しながら組み付けをする必要もない。
【００１４  】
【発明の実施の形態】
以下、図面を参照して本発明の実施の形態を説明する。
図１は本発明のバッテリーターミナルの一実施の形態を示す分解斜視図である。また、図２はバッテリーターミナルの正面図である。
【００１５  】
図１及び図２において、引用符号２１は先端の直径が基端の直径よりも小さいテーパ状の周側面を有する既知のバッテリーポスト（不図示）に巻着するバッテリーターミナルを示している。そのバッテリーターミナル２１は、バッテリーターミナル本体２２と、複数の構成部材からなる締め付け装置２３（特許請求の範囲に記載した締め付け手段に相当）とを有して構成されている。
【００１６  】
上記バッテリーターミナル本体２２は、導電性を有する金属板をプレス加工することにより製造されており、一対の環状部２４、２５と、一対の連結部２６、２６（特許請求の範囲に記載した締め付け部に相当）と、一対の接合板２７、２８とを有している。また、バッテリーターミナル本体２２は、一対の接合板２７、２８によって保持される端子固定ボルト２９を有している。
【００１７  】
尚、上記バッテリーポストの軸方向を垂直方向（上下方向に一致）とし、そのバッテリーポストの先端を上、基端を下と定義する。本明細書においては、環状部２４が上、環状部２５が下に配置されるものとする。また、同様に、接合板２７が上、接合板２８が下に配置されるものとする。
【００１８  】
環状部２４は、平板状の上基板３０を有している。その上基板３０の略中央には、上記バッテリーポストを挿入するためのバッテリーポスト挿入穴３１が上下方向に貫通形成されている。また、上基板３０の左右両端部には、先端が下に向く係合部３２、３２がそれぞれ連成されている。
【００１９  】
バッテリーポスト挿入穴３１は、上記バッテリーポストの周側面に接触する部分であって、先端が上に向くように上基板３０から折り曲げられて形成されている。また、バッテリーポスト挿入穴３１は、上記バッテリーポストの先端側の直径に合わせて環状に形成されている。さらに、バッテリーポスト挿入穴３１は、連結部２６、２６の間となる部分が分断された状態で形成されている。引用符号３３はバッテリーポスト挿入穴３１の一部分断された部分を示している。
【００２０  】
環状部２５は、平板状の下基板３４を有している。その下基板３４の略中央には、上記バッテリーポストを挿入するためのバッテリーポスト挿入穴３５が上下方向に貫通形成されている。また、下基板３４の左右両端部には、先端が上に向く係合部３６、３６がそれぞれ連成されている。
【００２１  】
バッテリーポスト挿入穴３５は、上記バッテリーポストの周側面に接触する部分であって、先端が下に向くように下基板３４から折り曲げられて形成されている。また、バッテリーポスト挿入穴３５は、上記バッテリーポストの基端側の直径に合わせて環状に形成されている。さらに、バッテリーポスト挿入穴３５は、連結部２６、２６の間となる部分が分断された状態で形成されている。尚、バッテリーポスト挿入穴３５の一部分断された部分は、上記引用符号３３の部分の真下にこれと同様に形成されているものとする（引用符号３３を用いるものとする）。
【００２２  】
上基板３０の係合部３２、３２と下基板３４の係合部３６、３６は、その先端同士が対向するように配置されている。また、先端同士が当接若しくは近接した状態に配置されている。
【００２３  】
連結部２６、２６は、上基板３０及び下基板３４が間隔をあけて上下に重なるようにこれらを連結する部分であって、Ｕ字状に湾曲させられた状態に形成されている。すなわち、連結部２６、２６における前後方向且つ上側の端部が上基板３０の前端に連成され（上側の一部分断された部分３３の左右両側に連成される）、前後方向且つ下側の端部が下基板３４の前端に連成されて（下側の一部分断された部分３３の左右両側に連成される）左右方向の側面視がＵ字状となるように形成されている。また、連結部２６、２６は、上記の一部分断された部分３３、３３に連通する締め付け間隙３７を有して左右方向に並設されている。
【００２４  】
連結部２６、２６の内側には、左右方向に貫通する挿通空間がそれぞれ形成されている。また、連結部２６、２６の左右方向の端部（外側の端部）における上下方向の中央には、被摺接部３８、３８がそれぞれ形成されている。被摺接部３８、３８は、後述する一対のテーパ部４７、４７に対して点接触又は線接触する部分であって、本形態においては、連結部２６、２６の湾曲する部分の外側且つ中央に形成されている。引用符号３９、３９は、被摺接部３８、３８のために形成されたテーパ状の切り落とし部分を示している。尚、連結部２６、２６に上記挿通空間が存在しないような上下密着型の連結部に対しては、密着面の延長上（又は上下方向の中央）に被摺接部３８、３８と同様の被摺接部が形成されるものとする。
【００２５  】
接合板２７は、上基板３０の後端に連成される接触板部４０と、その接触板部４０の左右方向両端部に連成される下向きの側壁４１、４１（一方のみ図示）とを有して構成されている。接触板部４０は、矩形状の平板であって、その中央には、端子固定ボルト２９に対するボルト挿通穴が貫通形成されている。
【００２６  】
接合板２８は、下基板３４の後端に連成されるボルト立設板部と、そのボルト立設板部の左右方向両端部及び後端部に連成される三つの側壁とを有して構成されている。接合板２８の左右方向の側壁は、接合板２７の側壁４１、４１の内側に配置されている。
【００２７  】
尚、接合板２７、２８及び端子固定ボルト２９により、図示しない外部接続端子に対する接続部が形成されている。
【００２８  】
上記締め付け装置２３は、締め付け間隙３７を介して連結部２６、２６を互いに近づけ、バッテリーポスト挿入穴３１、３５を縮径方向に縮めるものであって、ブラケット４２と、ボルト４３及びナット４４と、ボルト保持用スペーサ４５とを有して構成されている。
【００２９  】
ブラケット４２は、連結部２６、２６の上側に配置されるようになっている。また、ブラケット４２は、平面視短冊形状の金属板を折り曲げて形成されている。すなわち、ブラケット４２は、基板４６と一対のテーパ部４７、４７とを有するように形成されている。基板４６の中央には、ボルト４３が上下方向に挿通されるボルト挿通孔４８が貫通形成されている。テーパ部４７、４７は、基板４６の長手方向（左右方向）の両端部に連成されており、先端に向けて次第にその間隔が広がるようなテーパ状に形成されている。尚、ブラケット４２は、連結部２６、２６の下側に配置することも可能であるものとする。
【００３０  】
ボルト４３は、ボルト挿通孔４８と締め付け間隙３７と後述するボルト保持孔５０とに挿通されるようになっている。また、ボルト４３は、その軸がバッテリーポスト挿入穴３１、３５の軸に沿って平行に挿通されるようになっている。本形態においては、ボルト４３の頭部４９が下基板３４側に配置されるようになっている（この逆も可能であるものとする）。ナット４４は、上基板３０側からボルト４３に対して螺合するようになっている。尚、締め付け間隙３７が狭い場合には、連結部２６、２６に図示のようなボルト逃がし部（円弧状の凹み）を形成してもよいものとする。
【００３１  】
ボルト保持用スペーサ４５は、ボルト４３の斜め挿通を防止する金属又は合成樹脂製の部材であって、適宜肉厚を有する平面視略矩形状に形成されている。また、ボルト保持用スペーサ４５は、連結部２６、２６の上記挿通空間内に挿入、配置されるようになっている。ボルト保持用スペーサ４５には、ボルト４３のネジ部よりも若干直径が大きいボルト保持孔５０が貫通形成されている。そのボルト保持孔５０は、本形態において、ボルト保持用スペーサ４５の前端側且つ左右方向の中央に位置するように形成されている（この位置に限定されるものではないものとする）。また、ボルト保持孔５０は、ボルト４３の軸をバッテリーポスト挿入穴３１、３５の軸に沿って平行に配置することができる形状に形成されている。尚、ボルト保持用スペーサ４５は、その左右方向の長さを長く形成して、テーパ部４７、４７の先端を当接させるようにすれば、過剰な締め付けを防止することができるという利点を有している。
【００３２  】
締め付け装置２３は、バッテリーターミナル本体２２に対してセットされると、基板４６が連結部２６、２６の各上面に対向し、テーパ部４７、４７が被摺接部３８、３８の近傍又は被摺接部３８、３８に対して接触するようになっている。また、ボルト４３が連結部２６、２６の下側から締め付け間隙３７、ボルト保持孔５０、及びボルト挿通孔４８に挿通され、ナット４４が連結部２６、２６の上側で螺合するようになっている。ボルト４３は、その軸がバッテリーポスト挿入穴３１、３５の軸に沿って平行に配置されている。
【００３３  】
次に、上記構成に基づき、バッテリーターミナル２１の上記バッテリーポストに対する取り付け固定（接続）を説明する。
【００３４  】
先ず、バッテリーターミナル２１を下方向に移動させてバッテリーポスト挿入穴３１、３５を上記バッテリーポストの上記周側面に接触させる。次に、バッテリーターミナル本体２２の向きを所定方向に合わせて配置する。続いて、バッテリーターミナル本体２２の上方からインパクトレンチ等の図示しない工具を用いてナット４４を締め付け、締め付け装置２３の操作を開始する。
【００３５  】
締め付け装置２３の操作において、ナット４４が締め付けられると、ボルト４３及びナット４４の螺合状態が進行する。そして、ボルト４３及びナット４４によって、ブラケット４２が連結部２６、２６に押し付けられると、テーパ部４７、４７が被摺接部３８、３８を摺接する。これにより、上下方向の締め付け力が左右方向の締め付け力に変換され、連結部２６、２６が互いに近づく方向（左右方向）に締め付けられる。そして、バッテリーポスト挿入穴３１、３５が縮径方向に縮み、そのバッテリーポスト挿入穴３１、３５が上記バッテリーポストの上記周側面に対して圧接状態になる。そして、このような状態において、バッテリーターミナル２１の接続が完了する。
【００３６  】
本発明のバッテリーターミナル２１は、ボルト保持用スペーサ４５を備えていることから、ボルト４３の軸をバッテリーポスト挿入穴３１、３５の軸に沿って平行に配置することができる。そして、これにより、上下方向の締め付け力を左右方向の締め付け力に確実に変換することができる。また、ブラケット４２のずれに注意しながら組み付けをする必要も解消することができる。従って、斜め締め付けの防止と組み付け性の向上とを図ることができる。
【００３７  】
また、本発明のバッテリーターミナル２１は、上述のように、ボルト保持用スペーサ４５の左右方向の長さを適宜設定して、締め付け装置２３の操作時の過剰締め付けを防止することもできる。
【００３８  】
さらに、本発明のバッテリーターミナル２１は、上記図示しない工具と、バッテリー周辺の設置部品（不図示）との干渉を確実に避け、接続に係る作業（取り付けに係る作業）を容易にすることもできる。
【００３９  】
続いて、図３ないし図７を参照しながら本発明によるバッテリーターミナルの他の一実施の形態を説明する。図３は他の一実施の形態を示す平面図、図４は正面図、図５は右側面図、図６は連結部の形状説明図、図７は締め付けの操作の際の状態を説明する断面図である。
【００４０  】
図３ないし図５において、バッテリーターミナル６１は、バッテリーターミナル本体６２と、複数の構成部材からなる締め付け装置６３（特許請求の範囲に記載した締め付け手段に相当）とを有して構成されており、先端側の直径が基端側の直径よりも小さいテーパ状のバッテリーポスト６４に巻着するようになっている。
【００４１  】
上記バッテリーターミナル本体６２は、導電性を有する金属板をプレス加工することにより製造されており、一対の環状部６５、６６と、一対の連結部６７、６７（特許請求の範囲に記載した締め付け部に相当）と、一対の接合板６８、６９とを有している。また、バッテリーターミナル本体６２は、一対の接合板６８、６９によって保持される端子固定ボルト７０を有している。尚、環状部６５が上、環状部６６が下となるように配置されるものとする。また、同様に、接合板６８が上、接合板６９が下となるように配置されるものとする。
【００４２  】
環状部６５は、平板状の上基板７１を有している。その上基板７１の略中央には、バッテリーポスト６４を挿入するためのバッテリーポスト挿入穴７２が上下方向に貫通形成されている。また、上基板７１の左右両端部には、先端が下に向く係合部７３、７３がそれぞれ連成されている。
【００４３  】
バッテリーポスト挿入穴７２は、バッテリーポスト６４の周側面に接触する部分であって、先端が下に向くように上基板７１から折り曲げられて形成されている。また、バッテリーポスト挿入穴７２は、バッテリーポスト６４の先端側の直径に合わせて環状に形成されている。さらに、バッテリーポスト挿入穴７２は、連結部６７、６７の間となる部分が分断された状態で形成されている。引用符号７４はバッテリーポスト挿入穴７２の一部分断された部分を示している。
【００４４  】
環状部６６は、平板状の下基板７５を有している。その下基板７５の略中央には、バッテリーポスト６４を挿入するためのバッテリーポスト挿入穴７６が上下方向に貫通形成されている。また、下基板７５の左右両端部には、先端が上に向く係合部７７、７７（一方のみ図示。以下同様）がそれぞれ連成されている。
【００４５  】
バッテリーポスト挿入穴７６は、バッテリーポスト６４の周側面に接触する部分であって、先端が下に向くように下基板７５から折り曲げられて形成されている。また、バッテリーポスト挿入穴７６は、バッテリーポスト６４の基端側の直径に合わせて環状に形成されている。さらに、バッテリーポスト挿入穴７６は、連結部６７、６７の間となる部分が分断された状態で形成されている。引用符号７８はバッテリーポスト挿入穴７６の一部分断された部分を示している。
【００４６  】
上基板７１の係合部７３、７３と下基板７５の係合部７７、７７は、その先端同士が対向するように配置されている。また、先端同士が当接若しくは近接した状態に配置されている。
【００４７  】
連結部６７、６７は、上基板７１及び下基板７５が上下に重なるようにこれらを連結する部分であって、Ｕ字状に湾曲させられた状態に形成（図６参照）されている。すなわち、連結部６７、６７の各一端が上基板７１の前端に連成され（前端における一部分断された部分７４の左右両側に連成される）、各他端が下基板７５の前端に連成されている（前端における一部分断された部分７８の左右両側に連成される）。また、連結部６７、６７は、上記の一部分断された部分７４、７８に連通する締め付け間隙７９を有して左右方向に並設されている。Ｕ字状に湾曲形成（図６参照）された内側には、左右方向に貫通する挿通空間８０、８０（図６参照。一方のみ図示）がそれぞれ形成されている。
【００４８  】
接合板６８は、上基板７１の後端に連成される接触板部８１と、その接触板部８１の左右両端部に連成される下向きの側壁８２、８２（一方のみ図示）とを有して構成されている。接触板部８１は、矩形状の平板であって、その中央には、端子固定ボルト７０に対するボルト挿通穴が貫通形成されている。
【００４９  】
接合板６９は、下基板７５の後端に連成されるボルト立設板部８３と、そのボルト立設板部８３の左右両端部及び後端部に連成される側壁８４、８４、８４（二つのみ図示）とを有して構成されている。側壁８４、８４の外側には、接合板６８の側壁８２、８２が配置されている。
【００５０  】
尚、接合板６８、６９及び端子固定ボルト７０により、図示しない外部接続端子に対する接続部が形成されている。
【００５１  】
上記締め付け装置６３は、締め付け間隙７９を介して連結部６７、６７を互いに近づけ、バッテリーポスト挿入穴７２、７６を縮径方向に縮めるものであって、第一ブラケット８５と、第二ブラケット８６と、上述と同じボルト４３及びナット４４と、上述と同じボルト保持用スペーサ４５とを有して構成されている。
【００５２  】
第一ブラケット８５は、連結部６７、６７の上側に配置されるようになっている。また、第一ブラケット８５は、平面視短冊形状の金属板を折り曲げて形成されている。すなわち、第一ブラケット８５は、基板８７と一対のテーパ部８８、８８とを有するように形成されている。基板８７の中央には、ボルト４３が上下方向に挿通されるボルト挿通孔８９が貫通形成されている。テーパ部８８、８８は、基板８７の長手方向（左右方向）の両端部に連成されており、先端に向けて次第にその間隔が広がるようなテーパ状に形成されている。
【００５３  】
第二ブラケット８６は、連結部６７、６７の下側に配置されるようになっている。また、第二ブラケット８６は、第一ブラケット８５と同様に、平面視短冊形状の金属板を折り曲げて形成されている。すなわち、第二ブラケット８６は、基板９０と一対のテーパ部９１、９１とを有するように形成されている。基板９０の中央には、ボルト４３が上下方向に挿通されるボルト挿通孔９２が貫通形成されている。テーパ部９１、９１は、基板９０の長手方向（左右方向）の両端部に連成されており、先端に向けて次第にその間隔が広がるようなテーパ状に形成されている。第二ブラケット８６は、第一ブラケット８５と同じものである。
【００５４  】
ボルト保持用スペーサ４５は、連結部６７、６７の挿通空間８０、８０（図６参照。一方のみ図示）内に挿入、配置されている。尚、ボルト保持用スペーサ４５は、その左右方向の長さを長く形成して、テーパ部８８、８８及び９１、９１の先端を当接させるようにすれば、過剰な締め付けを防止することができるという利点を有している。
【００５５  】
締め付け装置６３は、バッテリーターミナル本体６２に対してセットされると、第一ブラケット８５の基板８７が連結部６７、６７の各上面に対向し、テーパ部８８、８８が上記各上面の端部近傍又はその端部に対して接触するようになっている。また、第二ブラケット８６の基板９０が連結部６７、６７の各下面に対向し、テーパ部９１、９１が上記各下面の端部近傍又はその端部に対して接触するようになっている。さらに、ボルト４３が連結部６７、６７の下側からボルト挿通孔９２、締め付け間隙７９、ボルト保持孔５０、及びボルト挿通孔８９に挿通され、ナット４４が連結部６７、６７の上側で螺合するようになっている。ボルト４３は、その軸がバッテリーポスト挿入穴７２、７６の軸に沿って平行に配置されている。
【００５６  】
次に、上記構成に基づき、バッテリーターミナル６１の上記バッテリーポスト６４に対する取り付け固定（接続）を説明する（図３〜図５、及び図７参照）。
【００５７  】
先ず、バッテリーターミナル６１を下方向（矢線Ｐ方向）に移動させてバッテリーポスト挿入穴７２、７６をバッテリーポスト６４の上記周側面に接触させる。次に、バッテリーターミナル本体６２の向きを所定方向に合わせて配置する。続いて、バッテリーターミナル本体６２の上方からインパクトレンチ等の図示しない工具を用いてナット４４を締め付け（矢線Ｑ方向に回転させ締め付ける）、締め付け装置６３の操作を開始する。
【００５８  】
締め付け装置６３の操作において、ナット４４が締め付けられると、ボルト４３及びナット４４の螺合状態が進行する。そして、ボルト４３及びナット４４によって、第一ブラケット８５及び第二ブラケット８６が連結部６７、６７に押し付けられると、第一ブラケット８５と第二ブラケット８６との間隔が狭まり（矢線Ｒ方向参照）、テーパ部８８、８８及び９１、９１が連結部６７、６７の対応する上記端部を摺接する。これにより、上下方向の締め付け力が左右方向の締め付け力に変換され、連結部６７、６７が互いに近づく方向（矢線Ｓ方向参照）に締め付けられる。そして、バッテリーポスト挿入穴７２、７６が縮径方向に縮み、そのバッテリーポスト挿入穴７２、７６がバッテリーポスト６４の上記周側面に対して圧接状態になる。そして、このような状態において、バッテリーターミナル６１の接続が完了する。
【００５９  】
他の実施の形態における本発明のバッテリーターミナル６１は、上述のバッテリーターミナル２１と同様、ボルト保持用スペーサ４５を備えていることから、ボルト４３の軸をバッテリーポスト挿入穴７２、７６の軸に沿って平行に配置することができる。そして、これにより、上下方向の締め付け力を左右方向の締め付け力に確実に変換することができる。また、第一ブラケット８５及び第二ブラケット８６のずれに注意しながら組み付けをする必要も解消することができる。従って、斜め締め付けの防止と組み付け性の向上とを図ることができる。
【００６０  】
また、他の実施の形態における本発明のバッテリーターミナル６１は、上述のように、ボルト保持用スペーサ４５の左右方向の長さを適宜設定して、締め付け装置６３の操作時の過剰締め付けを防止することもできる。
【００６１  】
さらに、他の実施の形態における本発明のバッテリーターミナル６１は、上記図示しない工具と、バッテリー周辺の設置部品（不図示）との干渉を確実に避け、接続に係る作業（取り付けに係る作業）を容易にすることもできる。
【００６２  】
その他、本発明は本発明の主旨を変えない範囲で種々変更実施可能なことは勿論である。すなわち、上述ではバッテリーターミナル本体２２（６２）をプレス加工により形成していたが、これに限らず鋳物等で形成してもよいものとする（この場合、例えば環状部２４、２５、接合板２７、２８が上述と異なり各一つになる）。
【００６３】
【発明の効果】
以上説明したように、請求項１に記載された本発明によれば、締め付け手段の操作がなされて左右方向に長いボルト保持用スペーサと一対のテーパ部とが当接すると、ブラケットの移動が規制されることから、締め付け手段の操作時の過剰締め付けを防止することができる。
【００６４  】
請求項２に記載された本発明によれば、ブラケットを一対の締め付け部の上側及び／又は下側に配置したとしても、斜め締め付けの防止と組み付け性の向上とを図ることができる。
【図面の簡単な説明】
【図１】本発明によるバッテリーターミナルの一実施の形態を示す分解斜視図である。
【図２】図１のバッテリーターミナルの正面図である。
【図３】本発明によるバッテリーターミナルの他の一実施の形態を示す平面図である。
【図４】図３のバッテリーターミナルの正面図である。
【図５】図３のバッテリーターミナルの右側面図である。
【図６】締め付け部としての連結部の形状説明図である。
【図７】締め付けの操作の際の状態を説明する断面図である。
【図８】従来例のバッテリーターミナルの斜視図である。
【図９】図８のブラケットと一対の締め付け部の断面図である。
【符号の説明】
２１  バッテリーターミナル
２２  バッテリーターミナル本体
２３  締め付け装置（締め付け手段）
２４、２５  環状部
２６  連結部（締め付け部）
２７、２８  接合板
２９  端子固定ボルト
３０  上基板
３１、３５  バッテリーポスト挿入穴
３２、３６  係合部
３３  一部分断された部分
３４  下基板
３７  締め付け間隙
３８  被摺接部
３９  切り落とし部分
４０  接触板部
４１  側壁
４２  ブラケット
４３  ボルト
４４  ナット
４５  ボルト保持用スペーサ
４６  基板
４７  テーパ部
４８  ボルト挿通孔
４９  頭部
５０  ボルト保持孔
６１  バッテリーターミナル
６２  バッテリーターミナル本体
６３  締め付け装置（締め付け手段）
６４  バッテリーポスト
６５、６６  環状部
６７  連結部（締め付け部）
６８、６９  接合板
７０  端子固定ボルト
７１  上基板
７２、７６  バッテリーポスト挿入穴
７３、７７  係合部
７４、７８  一部分断された部分
７５  下基板
７９  締め付け間隙
８０  挿通空間
８１  接触板部
８２、８４  側壁
８３  ボルト立設板部
８５  第一ブラケット（ブラケット）
８６  第二ブラケット（ブラケット）
８７、９０  基板
８８、９１  テーパ部
８９、９２  ボルト挿通孔
【図１】
0004093340.tif 000002
【図２】
0004093340.tif 000003
【図３】
0004093340.tif 000004
【図４】
0004093340.tif 000005
【図５】
0004093340.tif 000006
【図６】
0004093340.tif 000007
【図７】
0004093340.tif 000008
【図８】
0004093340.tif 000009
【図９】
0004093340.tif 000010